(57)【要約】【課題】  ラチェット係合を操作する旋回レバーを確保する保持装置を、より簡単に操作できるようにした作動取手を有する医療機器を提供する。【解決手段】  一方のラック（１２）を第１の把持部材（７）に固定し、他方のラック（１３）を第２の把持部材（８）に旋回自在に軸支された旋回レバー（１４）に固定し、板バネ（１６）で係合するように押圧されており、旋回レバー（１４）が、その軸支個所（１５）を越えて作動部材（１７）まで延長され、解放された旋回位置に旋回レバーを固定する保持装置（１９，２９；２３，２４；２５，２６）を備えた医療機器において、保持装置が第２の把持部材（８）に対して旋回レバー（１４）を力閉結合状態で保持するように構成する。【選択図】        図  １
2006247377.tif 000002
【特許請求の範囲】
【請求項１】
遠位端に設けてあって近位端に設置された取手（７，８）と作動結合する少なくとも１つの可動部材（４）と、ヒンジ（９）を介して並べて軸支され指掛け片（１０，１１）を自由端に有する取手把持部材（７，８）と、ヒンジ（９）と同心に構成され相互に係合させ得る２つのラック（１２，１３）からなり把持部材（７，８）の間に設けたラチェット（１２，１３）とを有する医療機器であって、一方のラック（１２）を第１の把持部材（７）に固定し、他方のラック（１３）を第２の把持部材（８）に旋回自在に軸支された旋回レバー（１４）に固定し、そしてバネ（１６）で係合するように押圧されており、旋回レバー（１４）が、その軸支箇所（１５）を越えて作動部材（１７）まで延長され、解放された旋回位置に該旋回レバーを固定する保持装置（１９，２０；２３，２４；２５，２６）を備えた形式のものにおいて、保持装置（１９，２０；２３，２４；２５，２６）が、第２の把持部材（８）に対して旋回レバー（１４）を力閉結合状態で保持するように構成されていることを特徴とする機器。
【請求項２】
旋回レバー（１４）には、該旋回レバーと共に旋回し、旋回レバー（１４）の解放位置において、第２の把持部材（８）に弾性的に軸支された係止部材（２０）に後方から係合する突起（１９）が固定されていることを特徴とする請求項１に係る機器。
【請求項３】
解放された旋回位置において保持係合する永久磁石（２３，２４）が、旋回レバー（１４）及び／又は第２の把持部材（１１）に設けてあることを特徴とする請求項１に係る機器。
【請求項４】
旋回レバー（１４）の解放された旋回位置において第２の把持部材（８）又は旋回レバー（１７）の弾性受け（２６）と弾性的に係合する形状部材（２５）が、旋回レバー（１４）又は第２の把持部材（１１）に固定されていることを特徴とする請求項１に係る機器。
【発明の詳細な説明】
【技術分野】
【０００１】
この発明は、請求項１の上位概念に記載の種類の医療機器に関する。
【背景技術】
【０００２】
このような機器は、外科学において、特に、取手によって閉鎖運動を制御する形式のハサミ又は鉗子の形で使用される。
【０００３】
このような機器は、例えば、腹腔鏡として使用するように構成でき、この場合、機器の長いシャフトの遠位端に鉗子ヘッドを設ける。鉗子ヘッドと取手との間の作動係合は、引張ロッドを介して行う。
【０００４】
取手の把持部材の間には、バネによって係合状態に保持されるラチェットが設けられている。鉗子の閉鎖後、ラチェットは係合状態を保持するので、鉗子は、更なる指の力を加えなくとも、対象物、例えば、ニードル、器官などを固定する。
【０００５】
旋回レバーは、バネ力に抗して、保持装置によって、解放された旋回位置に保持でき、かくして、ラチェットを係合させなくとも、このような鉗子を操作する可能性が与えられる。
【０００６】
この種の機器は、ＤＥ９３１４５８１Ｕから公知である。この場合、保持装置は、旋回レバーの作動部材に係合させ得る安全レバーとして構成されている。
【０００７】
しかしながら、この構造の場合、固有の旋回運動によって係合及び解放を行わなければならないという安全レバーの複雑な作動が不利であり、したがって、複雑な操作時には、オペレータの不必要な注意力が要求されることになる。
【特許文献１】ＤＥ９３１４５８１Ｕ
【発明の開示】
【発明が解決しようとする課題】
【０００８】
本発明の課題は、旋回レバーを確保する保持装置を、より簡単に操作できる、上記の種類の医療機器を提供することにある。
【課題を解決するための手段】
【０００９】
この課題は、請求項１の特徴によって解決される。
【００１０】
本発明に基づき、保持装置は、ロック位置において力閉結合状態で旋回レバーを保持するように構成されている。ロック位置に旋回レバーを押圧するバネによって、同時に、旋回レバーの双安定軸支が達成される。すなわち、旋回レバーは、一方の方向への作動部材の指作動によって、解放状態とされ、力閉結合によって確保される。旋回レバーを再び阻止状態とするには、指で他の方向へ作動部材を押圧して力閉結合を解離すれば十分である。オペレータは、この操作を直観的に且つ躊躇なく実施できる。
【００１１】
請求項２の特徴を実現すれば有利である。旋回レバーの作動時、上記旋回レバーと共に旋回する突起は、弾性係止部材に沿って一方の又は他方の旋回位置に送られ、かくして、上記突起は、僅かな圧力によって阻止位置又は解放位置にセツトできる。
【００１２】
代替方策として、請求項３の特徴が実現される。かくして、旋回レバーは、解放状態において、第２の把持部材に磁気的に保持される。指の僅かな圧力によって、上記の磁気的保持状態を再び解除できる。双方の部材に永久磁石を配置して構成することができ、あるいは、一方の部材に永久磁石を配置して構成することができ、この場合は、他方の部材は、強磁性材料により構成する。
【００１３】
有利なことには、代替方策として、請求項４の構成が可能である。この場合、一方の部材に設けてあって旋回レバーを解放状態に保持し且つ僅かな圧力によって再び引き離すことができる弾性受けに、他方の部材に設けた形状部材を係合させることによって、旋回レバーと第２の把持部材との間に力噛合閉結合が行われる。
【発明を実施するための最良の形態】
【００１４】
次に、本発明を実施するための最良の形態について説明する。
【実施例】
【００１５】
まず、本発明に係る医療機器の実施例１を模式的に示した図１に基づいて説明する。図１は、１つ又は２つの可動ブランチ４を有し、例えば、ハサミとしても構成できる鉗子ヘッド３を遠位端に固定した長いパイプシャフト２を有する外科用鉗子１を示している。鉗子ヘッド３は、パイプシャフト２を貫通する引張ロッド５によって作動される。
【００１６】
引張ロッド５は、パイプシャフト２の近位端から突出し、玉継手６などによって第１の把持部材７に軸支されている。この場合、第１の把持部材７は、パイプシャフト２を支持する第２の把持部材８と共に取手を構成する。双方の把持部材７，８は、ヒンジ９によって並べて軸支されている。
【００１７】
把持部材７，８の自由端には、図示の実施例の場合、指輪として構成された指掛け片１０，１１が設けられている。ここで、指掛け片１０は、オペレータの親指のために設けてあり、指掛け片１１は、人差し指のために設けてある。
【００１８】
手の指で指掛け片１０，１１を同時に押圧することによって、図示の外科用鉗子１を作動できる。この場合、選択した運動特性に応じて、指掛け片１０，１１を同時に押圧する際、鉗子ヘッド３の可動ブランチ４を閉鎖又は開放できる。
【００１９】
第１の把持部材７には、ヒンジ９に対して同心状に延びる第１のラック１２が、第２の把持部材８へ向かって突出するように固定されている。この第１のラック１２は、第２の把持部材８の軸支箇所１５に旋回自在に軸支された旋回レバー１４の一方のアームとして構成された第２のラック１３と共に、ラチェットを構成する。第２の把持部材８に固定された板バネ１６によって、旋回レバー１４は、第２のラック１３を第１のラック１２とラチェット係合状態に保持する阻止位置に押圧負荷されている。
【００２０】
旋回レバー１４の他方の第２アームは、作動部材１７として構成され、外科用鉗子１を指掛け片１０の親指及び指掛け片１１の人差し指で保持した場合、例えば、中指で作動させて、図１に示した解放状態に旋回レバー１４をセットできる。図示の実施例の場合、解放状態は、指掛け片１１に対する作動部材１７の当接部材１８によって確保される。
【００２１】
ラチェットを構成する双方のラック１２，１３の図１に示した解放位置では、鉗子１を自由に作動でき、この場合、しかも、ラチェットが妨げとなることはない。しかしながら、このためには、作動部材１７を常に保持していなければならない。
【００２２】
これを避けるため、図１に示した解放された旋回位置に旋回レバー１４を保持できる保持装置が設けられている。
【００２３】
図１の実施例１に示した如く、旋回レバー１４に設けた保持装置は、旋回レバー１４と共に旋回する突起１９を有する。図１に示した解放状態では、上記突起１９は、第２の把持部材８に固定されたシャフト部分２２にバネ２１によって予圧されて軸支されたボールとして構成された係止部材２０の左側にある。
【００２４】
図１に示した如く、係止部材２０の左側の突起１９によって、旋回レバー１４の解放された旋回状態が確保される。旋回レバー１４を再び阻止状態とするには、指で、旋回レバー１４の作動部材１７の当接部材１８を指掛け片１１から引き離すだけでよい。突起１９は、弾性的に追従する係止部材２０の下方を右方へ移動し、かくして、板バネ１６は、第２のラック１３を、再び、第１のラック１２とラチェット係合させることができる。
【００２５】
図２及び図３に、ラチェットのための保持装置の、図１に示した実施例１の変更例の部分を実施例２及び３として示した。これらの実施例の場合、実施例１とできる限り同一の符号を使用している。
【００２６】
実施例２においては、図２に示すように、図示の解ロック状態に旋回レバー１４を確保するため、作動部材１７及び指掛け片１１には、それぞれ、永久磁石２３，２４が固定されている。旋回レバー１４の図示の旋回状態では、永久磁石２３，２４は、磁気的に係合し、板バネ１６の力に抗して旋回レバー１４を解放状態に保持する。指掛け片１１から離れる方向へ作動部材１７を指で押すことによって磁気係合を解除すれば、旋回レバー１４は、ロック位置（阻止状態）へ旋回される。図２に示した実施例２における保持装置の操作は、図１に示した実施例１における保持装置の場合と同一である。双方の部材（作動部材１７及び指掛け片１１）に永久磁石を配置して構成でき、あるいは、一方の部材に永久磁石を配置して構成することができ、この場合、他方の部材は、強磁性材料で構成する。
【００２７】
図３に、図２に示した実施例２と同様に構成した保持装置の実施例３を示した。しかしながら、この実施例３の場合、磁石２３，２４の代わりに、作動部材１７には、図示の場合には円形の形状部材２５が固定されており、指掛け片１１には、板バネによって形成した弾性受け２６が固定されている。旋回レバー１４を解放位置の方向へ移動すると、すなわち、作動部材１７を取手１１の方向へ移動すると、形状部材２５は、弾性受け２６内に押し込まれ、その弾性力によって弾性受け２６内に保持される。図３に示した阻止位置の方向への作動部材１７の移動によって、弾性受け２６の弾性力を克服して、形状部材２５が解放される。保持装置２５，２６のこの構成の場合も、操作は、同じく、図１及び図２に示した実施例１及び２の場合と同一である。
【００２８】
図３に示した実施例３の変形例として、解放位置への旋回レバー１４の移動時に、折り曲げ端１６′が旋回レバー１４の端部１４′の後ろに係合して該旋回レバー１４を解放状態に保持するように、板バネ１６を、若干、延長することができる。阻止状態にする場合は、旋回レバー１４に僅かな力を加えて、折り曲げ端１６′と端部１４′の係合を解除する。この方式でも、旋回レバー１４を双安定状態に確保できる。
【００２９】
図１に示した実施例１の変形例として、バネ２１は、例えば、板バネとしても構成でき、そのバネ上端は、第２の把持部材８に固定できる。この場合、シャフト部分２２は、不要である。バネの下端は、突起１９の代わりに旋回レバー１４に固定されている。かくして、更に、旋回レバー１４の双安定軸支が達成され、かくして、上記旋回レバー１４は、阻止状態又は解放状態に確保される。
【図面の簡単な説明】
【００３０】
【図１】本発明に係る医療機器の実施例１の外科用鉗子を示す略図である。
【図２】実施例２の一部を示す部分図である。
【図３】実施例３の一部を示す部分図である。
【符号の説明】
【００３１】
１  鉗子
２  パイプシャフト
３  鉗子ヘッド
４  可動ブランチ
５  引張ロッド
６  玉継手
７  第１の把持部材
８  第２の把持部材
９  ヒンジ
１０，１１  指掛け片
１２  第１のラック
１３  第２のラック
１４  旋回レバー
１４′  端部
１５  軸支箇所
１６  板バネ
１６′  折り曲げ端
１７  作動部材
１８  当接部材
１９  突起
２０  係止部材
２１  バネ
２２  シャフト部分
２３，２４  永久磁石
２５  形状部材
２６  弾性受け
【図１】
2006247377.tif 000003
【図２】
2006247377.tif 000004
【図３】
2006247377.tif 000005